【事件の表示】
　平成１０年特許願第２０６６４２号「印刷機のインキ膜厚制御方法」拒絶査定不服審判事件〔平成１２年　２月　８日出願公開、特開２０００−　３７８５３〕について、次のとおり審決する。
【結　論】
　本件審判の請求は、成り立たない。
【理　由】
１．手続の経緯
　本願は、平成１０年７月２２日に出願したものであって、平成１６年１１月２日付けで手続補正がなされ、平成１９年８月１４日付けで拒絶査定がなされ、これに対し、同年９月２０日付けで拒絶査定に対する審判請求がなされたものである。
　
２．本願発明
　本願請求項１、２に係る発明は、平成１６年１１月２日付け手続補正で補正された明細書の特許請求の範囲の請求項１、２に記載された事項により特定されるものであり、その請求項２に係る発明（以下、「本願発明」という。）は、以下のとおりである。
「インカー内のインキ膜厚分布を、刷版を交換しての印刷開始前に、旧刷版による印刷物に対するインキ膜厚分布から新刷版による印刷物に対するインキ膜厚分布に変更する印刷機のインキ膜厚制御方法において、
　旧刷版による印刷物の絵柄に応じたブレード開き量と新刷版による印刷物の絵柄に応じたブレード開き量との差を前記インカー内におけるブレード毎に求め、
　その差が全てあらかじめ定めた許容範囲内にある場合には、刷版を交換しての印刷開始前に、旧刷版による印刷物に対するインキ膜厚分布から新刷版による印刷物に対するインキ膜厚分布への変更を行わない
　ようにしたことを特徴とする印刷機のインキ膜厚制御方法。」
　
３．引用刊行物
　原査定の拒絶の理由に引用された刊行物である特開平５−４３２９号公報（以下、「刊行物１」という。）には、以下の記載が図示とともにある。
　ア．【請求項１】  オフセット印刷機のインキ壺の調量機構とインキ出しロ−ラ−の表面との間の間隔を変えることによってインキ出しロ−ラ−のインキ膜の厚さを区域毎に調節するインキ調量方法において、前印刷作業終了時のインキ膜厚を制御した数値と次の印刷作業の区域毎のインキ膜厚制御用数値を比較演算し、両者の数値を大小判別し、前者より後者の値が大きい場合後者の値をより大きく、後者の値が前者より小さい場合後者の値をより小さく区域毎の数値を設定して膜厚を制御して一定量印刷運転後、次の本印刷作業における目標入力値でインキ壺調量機構を制御することを特徴とするオフセット印刷機のインキ予備調量方法。
　イ．【０００６】
【作用】作業終了時の印刷機上の残存インキ量を考慮して次に行う作業に理論的必要インキ量を増減し予備調量してテスト印刷運転後、区域分割ブレ−ド開度量を制御目標値とすることにより、結果的に所望の印刷濃度へ達するまでの所要時間が短縮される。
　ウ．【０００７】
【実施例】図１は本発明を実施する装置の外観を概略的に示す図、図２は本発明を実施する装置の一例を示すブロック図、図３は印刷機のインキ壺の側面断面図、図４はインキ壺の平面図、図５は図３及び図４に適用したインキ遠隔調量装置の操作部、表示部の一例を示す図、図６は本発明に於ける表示部の表示状態の一例を示す図である。図１に示す装置は、本発明における全体の制御、調整をするインキ遠隔調量装置（１）、刷版絵柄面積率読み取り装置（２）、印刷ユニット（３）を示しており、絵柄面積率読み取り装置（３）は次に作業する印刷版（２１ｂ）の絵柄デ−タを測定し、そのデ−タは直接にまたは磁気カ−ド、磁気テ−プ、フロッピイ−ディスなどの媒体により間接的にインキ遠隔調量装置の入力部へ与えられる。印刷ユニット（３）は１つしか示していないが、多色機の場合同じものが色数だけ配置されている。又印刷機に必要な給紙部及び排紙部の図示は省略してある。インキ壺ユニット（１２）はインキ量を調量する駆動装置を内蔵している。調量されたインキはインキ元ロ−ラ−（１３）を経てインキロ−ラ−ユニット（１０）へ送られ版胴（ＰＳ）の円周面に巻き付けられている版（２１ａ）の絵柄部分に供給される。版（２１ａ）は印刷終了直後のものを示している。絵柄はゴム胴（ＢＬ）を介して圧胴（ＩＮ）上の印刷紙に転写される。
【０００８】図２はインキ遠隔装置及び周辺装置をブロック図として示したもので次のものより構成されている。制御、演算、調整を全体的に司る主制御装置ＣＰＵ（４）、制御デ−タを格納する記憶部（５）、（５ａ）、（５ｂ）、絵柄面積率測定装置（２）より得られる版の測定結果デ−タを受け入れＣＰＵへ転送する入力部（１１）、測定デ−タもしくは操作部（９）の調整量に応じて印刷ユニットのインキ壺（１２）上に載置されている各インキ領域に対応するスライダ−を調整するスライダ−モ−タ−（１４）を動かす駆動部（６）、調整量を検出するポテンショメ−タ−（１６）、この量をフィ−ドバックしてＣＰＵ部へ伝えるＡ／Ｄ変換器（７）、この調整量及び前の印刷作業の調整結果を選択された１印刷ユニット分表示する表示部（８）、選択された印刷ユニットの各インキ調整装置を所望量増減する操作スイッチを備えた操作部（９）、印刷機の印刷枚数を検出するセンサ−（１６ａ）より成っている。
【０００９】図３はインキ調量装置の側面断面図でインキ壺（１２）、図示しないモ−タ−で回転させられる元ロ−ラ−（１３）との間にインキが貯められている。ＣＰＵ（４）で与えられた駆動量は駆動部（６）に出力しスライダ−モ−タ−（１４）を必要な方向に回転させる。（１５）は微小手動調整ネジである。回転はギヤ減速装置（１７）を介して調量部材（１８）に伝えられ前後移動に変換される。連結スピンドル（１８ａ）にてこの動きは各インキ領域におけるインキ元ロ−ラ−との間隙を決める調量機構、即ちスライダ−ブレ−ド（１９）に伝えられる。このスキマの大小によりインキ量が決定される。ＣＰＵ制御部へはポテンショメ−タ−（１６）により常に検出量がフィ−ドバックされ絵柄面積率測定装置（通称スキャナ−）、操作部スイッチによる操作量または予め記憶された記憶部（４）、（５）のデ−タに対応して制御される。
【００１０】図４はインキ調量装置の平面図で一部を示したもので、各関係構成要素の番号は図３と同じである。このスライダ−ブレ−ド駆動装置は印刷機の印刷有効幅に応じて１ユニット当り３０〜４０備えられている。図５はインキ遠隔調量装置（通称インキリモコン）（１）の表示部、操作部を示したものである。印刷ユニット選択スイッチ（２８）の番号を押すことにより該当印刷ユニットの表示がなされ操作が出来る。（２９）は印刷サンプルを置く色見台である。紙サイズの原寸に応じてスライドユニットの番号（３０）（第７図参照）が記され対応する表示部、各スイッチが縦に配置されている。（３１）は本発明の制御方法の使用の有無を選択するスイッチである。印刷作業の前後で絵柄にあまり差がないばあいこのスイッチを切れば従来の使用方法で調整できる。（３２）はこの制御方法を用いる場合の印刷設定枚数を手動にて入れる枚数入力スイッチで、（３３）はインキ調量装置をスタ−トさせるものである。インキスライダ−の移動量、言い替えれば元ロ−ラ−とスライダ−ブレ−ドとのスキマが棒グラフ状のＬＥＤの点灯（２７）として見ることが出来る。隙間の大きさに応じて下から順に点灯個数が増減しスキマ零では無点灯、最大スキマでは全ての発光ダイオ−ドが点灯する。この量はまた（２５）の２桁ＬＥＤ数字でも読み取ることが出来る。この値は図２の記憶部（５ａ）より与えられる。最大スキマは１００％に対応して”９９”、零スキマは”００”と表示する。同じ表示の（２６）の数字は直前の作業のインキ壺の状態を示すものである。この値は図２の記憶部（５）より与えられる。
　エ．【００１３】以下本発明について詳述する。図１の印刷機上の印刷済みの版（２１ａ）は取り外され次の仕事の版（２１ｂ）が版胴上に取り付けられる。（２１ｂ）の版の絵柄データは通常前もってスキャナー（２）によって測定されインキ遠隔調量装置（１）の記憶部（５）に格納されたデータで制御される。本発明の理解を簡単にするために本来数多くある分割スライダーブレードを１ユニット１０個として説明を進める。本実施例における最大開度（スキマ）は１００、最小スキマは零（０）である。図７は本発明による一実施例による制御部（１）の内部演算の状態及びこれによる表示部（８）の作動状態を示したものである。作業者は印刷の完了した版（２１ａ）を取り外し、次の作業の版（２１ｂ）を印刷機に取り付ける。（２１ｂ）の版の絵柄データは作業に先立ってスキャナー（２０）により読み取られ図２の記憶部（５）に格納される。作業者は（２１ａ）と（２１ｂ）の絵柄をみて本発明の制御を使うかどうか図５スイッチ（３１）で選択できる。このスイッチが押されると主制御部のＣＰＵ（４）は現在のスライダ−の数値、換言すればインキロ−ラ−群上の幅方向のインキの分布の状態を示すデ−タを記憶部（５）に格納する。予めＣＰＵのＲＯＭに書き込まれた条件により比較、演算をしこの数値は記憶部（５ａ）に格納される。
【００１４】表１にスライダー番号ａ〜ｊの数値が示されている。（Ａ）は直前の印刷作業の値、（Ｂ）は次の作業の値である。ＣＰＵの演算部はこの前後の値の差分値Ｂ−Ａを計算し大小関係が比較される。ここで前の値より次の値が大きい場合、すなわちＢ＞ＡのときＢの値にある量付加され、反対にＢ＜Ａのときある量減じられる。（Ｄ）は差分値をそのまま増減した一実施例である。さらに詳しく個々について説明すればスライダー（ａ）の前の値は５で次の版の値は４０でこの差は＋３５であるのでこの値３５がＢの値に付加され７５となる。次にスライダー（ｂ）のは差分＋５０をＢの値にに付加すると１１０となり１００を越える。スライダーの最大開度は１００であるので１００を越える値はＣＰＵが判断し１００と設定する。逆にスライダー（ｃ）の前後の差分は−３０でこの値をＢより減ずると−２０となるが零（０）スキマ以下はないので負の値は零に設定される。表１の予備調量値（Ｄ）は差分をそのまま増減する条件１／１による演算を示したもので（  ）の数値は最大、最小を越える直接の演算結果を参考として示したものである。この増減量はＣＰＵ内部のＲＯＭに書き込まれた差分量の大小による条件によって決められる。そしてこの演算値（Ｄ）が予備調量の数値となり制御部の記憶部（５ｂ）に読み込まれる。このとき表示部（８）の状態は図７の上部に示したようになる。（２５）はこれから行う次の本印刷作業の値、（２６）は直前印刷作業の値が示される。（２７）のＬＥＤ棒グラフ状表示は予備調量の数値（Ｄ）を示したものである。このようにして全スライダー、全印刷ユニットの予備調量の値が計算され図５の押しボタン（３３）により各スライダーのプリセットが開始される。記憶部（５ｂ）のデータは主制御部の駆動部（６）に出力され各スライダーモーターを設定方向に回転させ、ポテンショメーター（１６）のフィードバックされた値が記憶部の各スライダーの値と一致したときモータは停止させられ、インキ壺のスライダーの予備調量の為のセッティングは完了する。
　オ．【表１】
　
　上記ウの段落【００１４】に「次にスライダー（ｂ）のは差分＋５０をＢの値にに付加すると１１０となり１００を越える。スライダーの最大開度は１００であるので１００を越える値はＣＰＵが判断し１００と設定する。逆にスライダー（ｃ）の前後の差分は−３０でこの値をＢより減ずると−２０となるが零（０）スキマ以下はないので負の値は零に設定される。」と記載されているから、【表１】の数値は、スライダー番号ａ〜ｊの各スライダーに設定される開度値及びその差を示しているものと認められる。
　上記ウの段落【００１３】に「（２１ｂ）の版の絵柄データは作業に先立ってスキャナー（２０）により読み取られ図２の記憶部（５）に格納される。」と記載されており、印刷の完了した版（２１ａ）においても、その印刷作業に先立って絵柄データがスキャナー（２０）により読み取られていることは明らかであるから、【表１】の前作業の値Ａ（前作業の各スライダーの開度値）、次作業の値Ｂ（次作業の各スライダーの開度値）は、絵柄データに応じた値であると認められる。
　よって、上記記載及び図面を含む刊行物１全体の記載から、刊行物１には、以下の発明が開示されていると認められる。
「オフセット印刷機のインキ壺の調量機構とインキ出しローラーの表面との間の間隔を変えることによってインキ出しローラーのインキ膜の厚さを区域毎に調節するインキ調量方法において、
　印刷の完了した版（２１ａ）を取り外し、次の作業の版（２１ｂ）を印刷機に取り付ける際に、主制御部のＣＰＵ（４）は、前作業の絵柄データに応じた各スライダーの開度値Ａと次作業の絵柄データに応じた各スライダーの開度値Ｂの値の差分値Ｂ−Ａを計算し、次作業の値Ｂに差分をそのまま増減した予備調量値（Ｄ）を演算し、予備調量値（Ｄ）を制御部の記憶部（５ｂ）に読み込み、各スライダーをプリセットして一定量印刷運転後、次の本印刷作業における目標入力値でインキ壺調量機構を制御するオフセット印刷機のインキ予備調量方法。」（以下、「引用発明」という。）
　
４．対比
　本願発明と引用発明とを比較すると、引用発明の「印刷の完了した版（２１ａ）」、「次の作業の版（２１ｂ）」、「スライダー」、「前作業の絵柄データに応じた各スライダーの開度値Ａ」、「次作業の絵柄データに応じた各スライダーの開度値Ｂ」及び「差分値Ｂ−Ａ」は、それぞれ本願発明の「旧刷版」、「新刷版」、「ブレード」、「旧刷版による印刷物の絵柄に応じたブレード開き量」、「新刷版による印刷物の絵柄に応じたブレード開き量」及び「差」に相当する。
　引用発明は、「オフセット印刷機のインキ壺の調量機構とインキ出しローラーの表面との間の間隔を変えることによってインキ出しローラーのインキ膜の厚さを区域毎に調節する」ものであるから、インキ出しローラーのインキ膜の厚さに応じてインカー内のインキ膜厚分布が変更することは明らかである。また、引用発明は、「印刷の完了した版（２１ａ）を取り外し、次の作業の版（２１ｂ）を印刷機に取り付ける際に、主制御部のＣＰＵ（４）は、前作業の絵柄データに応じた各スライダーの開度値Ａと次作業の絵柄データに応じた各スライダーの開度値Ｂの値の差分値Ｂ−Ａを計算し、次作業の値Ｂに差分をそのまま増減した予備調量値（Ｄ）を演算し、予備調量値（Ｄ）を制御部の記憶部（５ｂ）に読み込み、各スライダーをプリセットして一定量印刷運転後、次の本印刷作業における目標入力値でインキ壺調量機構を制御」するものであるから、インカー内のインキ膜厚分布を、刷版を交換しての印刷開始前に、旧刷版による印刷物に対するインキ膜厚分布から新刷版による印刷物に対するインキ膜厚分布に変更する印刷機のインキ膜厚制御方法といえる。
　引用発明の「主制御部のＣＰＵ（４）」は、「前作業の絵柄データに応じた各スライダーの開度値Ａと次作業の絵柄データに応じた各スライダーの開度値Ｂの値の差分値Ｂ−Ａを計算し、次作業の値Ｂに差分をそのまま増減した予備調量値（Ｄ）を演算し、予備調量値（Ｄ）を制御部の記憶部（５ｂ）に読み込み、各スライダーをプリセットして一定量印刷運転後、次の本印刷作業における目標入力値でインキ壺調量機構を制御」しているから、旧刷版による印刷物の絵柄に応じたブレード開き量と新刷版による印刷物の絵柄に応じたブレード開き量との差をインカー内におけるブレード毎に求め、その差に基づいてインキ膜厚制御しているものといえる。
　よって、両者は、
「インカー内のインキ膜厚分布を、刷版を交換しての印刷開始前に、旧刷版による印刷物に対するインキ膜厚分布から新刷版による印刷物に対するインキ膜厚分布に変更する印刷機のインキ膜厚制御方法において、
　旧刷版による印刷物の絵柄に応じたブレード開き量と新刷版による印刷物の絵柄に応じたブレード開き量との差を前記インカー内におけるブレード毎に求め、その差に基づいてインキ膜厚制御する印刷機のインキ膜厚制御方法。」
の点で一致し、以下の点で相違している。
［相違点］制御内容に関し、本願発明は、「旧刷版による印刷物の絵柄に応じたブレード開き量と新刷版による印刷物の絵柄に応じたブレード開き量との差を前記インカー内におけるブレード毎に求め、その差が全てあらかじめ定めた許容範囲内にある場合には、刷版を交換しての印刷開始前に、旧刷版による印刷物に対するインキ膜厚分布から新刷版による印刷物に対するインキ膜厚分布への変更を行わない」と特定されているのに対し、引用発明は、旧刷版による印刷物の絵柄に応じたブレード開き量と新刷版による印刷物の絵柄に応じたブレード開き量との差をインカー内におけるブレード毎に求めてはいるものの、その差が全てあらかじめ定めた許容範囲内にある場合の制御について明らかでない点。
　
５．判断
　上記相違点について検討する。
　ａ．刊行物１のウの段落【００１０】に「（３１）は本発明の制御方法の使用の有無を選択するスイッチである。印刷作業の前後で絵柄にあまり差がないばあいこのスイッチを切れば従来の使用方法で調整できる。」と記載され、エの段落【００１３】に「作業者は（２１ａ）と（２１ｂ）の絵柄をみて本発明の制御を使うかどうか図５スイッチ（３１）で選択できる。」と記載されている。
　上記記載は、絵柄にあまり差がなければ、作業者の判断で、引用発明の「前作業の絵柄データに応じた各スライダーの開度値Ａと次作業の絵柄データに応じた各スライダーの開度値Ｂの値の差分値Ｂ−Ａを計算し、次作業の値Ｂに差分をそのまま増減した予備調量値（Ｄ）を演算し、予備調量値（Ｄ）を制御部の記憶部（５ｂ）に読み込み、各スライダーをプリセットして一定量印刷運転」即ち、プレ印刷を行わないことを意味している。
　ｂ．一方、原査定の拒絶の理由に引用された刊行物である特開平２−４１２４８号公報（以下、「刊行物２」という。）には、「本発明は、インキ元ローラの幅方向にブレードを有するインキつぼを設け、印刷版の絵柄面積率から予め設定された変換関数に基づいて前記ブレードを個々に制御して、供給インキ量を調節するインキ装置のプリセット方式のインキ量設定処理装置において、前回に行われた別印刷版によるインキ供給量と今回印刷しようとする印刷版の絵柄面積率データより算出したインキ供給量とを比較し、前回のインキ供給量が今回のインキ供給量より多い場合にはその差に応じて予め定められた時間だけインキつぼ開度を０（％）とし、一定時間印刷機を運転した後、絵柄面積率に基づくインキつぼ開度に設定し、少ないか等しい場合には直ちに絵柄面積率に基づくインキつぼ開度に設定するように構成する。」（第２頁右下欄第１７行〜第３頁左上欄第１１行）と記載されており、即ち、今回印刷しようとする印刷版の絵柄面積率に基づくインキつぼ開度に設定する前に、それと異なるインキつぼ開度での一定時間の運転（以下、「プレ印刷」という。）を行うか否かをインキ装置のプリセット方式のインキ量設定処理装置が制御していることが開示されている。
　ｃ．上記ａで検討したように刊行物１には、絵柄にあまり差がなければ、作業者の判断で、プレ印刷を行わないことが記載されており、人が行うことを制御部で制御することは、通常採用される設計事項に過ぎず、また、上記ｂで検討したように、刊行物２には、プレ印刷の決定を装置で制御することが記載されていることからしても、引用発明において、「各スライダーの開度値Ａ」と「各スライダーの開度値Ｂ」を利用して、絵柄に差がないこと、即ち、差分値Ｂ−Ａの差が全てあらかじめ定めた許容範囲内にある場合には、刷版を交換しての印刷開始前に、旧刷版による印刷物に対するインキ膜厚分布から新刷版による印刷物に対するインキ膜厚分布への変更を行わないように制御させ、上記相違点に係る本願発明のような構成とすることは当業者が容易になし得る程度のことである。
　
　以上のとおりであるから、本願発明の相違点に係る構成は、引用発明および刊行物２記載の事項に基づいて当業者が容易に想到することができたものであり、それにより得られる効果も当業者が予測できる範囲のものである。
　
６．むすび
　以上のとおり、本願発明は、引用発明および刊行物２記載の事項に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。